(57)【要約】      （修正有）【課題】２個の塑形棒を相互に連結し、花梗及びより長い花序を支えることができ、作業時間を節減できる花卉植物用塑形棒及びそのキットを提供する。【解決手段】花卉植物用塑形棒及びそのキットにおいて塑形棒１は環境保護効果を備えるプラスチック材質により一体成形され、適当な強度と可撓性を備え、植木鉢４上に挿入して定位され、花卉植物花梗４１の片側に配置し、花梗４１を支えて固定する。塑形棒の頂部はコネクター２に連接し、コネクターは湾曲状を呈し、少なくとも一端の末端部分は中空長孔を有し、塑形棒の頂部を挿入して結合し、花梗４１及び花序４３を支える。また塑形棒は連結スリーブ３により相互に連結され、連結スリーブの一端は中空長孔を有し、反対端には嵌着槽を有する。【選択図】図５
0003211587.tif 000002
【実用新案登録請求の範囲】
【請求項１】
花卉植物用塑形棒及びそのキットであって、前記塑形棒は、環境保護効果を備えるプラスチック材質により一体成形され、適当な強度と可撓性を備え、植木鉢上に挿入して定位され、花卉植物花梗の片側に配置し、花梗を支えて固定することを特徴とする花卉植物用塑形棒及びそのキット。
【請求項２】
前記塑形棒底端は、補助スタンドを有することを特徴とする請求項１に記載の花卉植物用塑形棒及びそのキット。
【請求項３】
前記塑形棒頂部は、湾曲状を呈するコネクターを連接することを特徴とする請求項１に記載の花卉植物用塑形棒及びそのキット。
【請求項４】
前記コネクター両端末端部分は、中空長孔をそれぞれ有し、第一塑形棒、第二塑形棒を連接することを特徴とする請求項３に記載の花卉植物用塑形棒及びそのキット。
【請求項５】
前記２個の塑形棒の第二塑形棒は、連結スリーブにより、第三塑形棒と連接することを特徴とする請求項４に記載の花卉植物用塑形棒及びそのキット。
【請求項６】
前記連結スリーブは、一端に中空長孔を有し、反対端には、嵌着槽を有することを特徴とする請求項５に記載の花卉植物用塑形棒及びそのキット。
【請求項７】
前記コネクターは、少なくとも一端の末端部分に中空長孔を有することを特徴とする請求項３に記載の花卉植物用塑形棒及びそのキット。
【請求項８】
前記コネクターは、必要に応じて短く切断できることを特徴とする請求項３に記載の花卉植物用塑形棒及びそのキット。
【考案の詳細な説明】
【技術分野】
【０００１】
本考案は花卉植物用塑形棒及びそのキットに関し、特に簡単かつ迅速に塑形棒を定形でき、適当な弧度を備え、しかも軽量で相互連結が容易で、これにより作業時間と輸送コストを節減できる花卉植物用塑形棒及びそのキットに関する。
【背景技術】
【０００２】
一般に花卉植物においては、花梗の成長方向は変化するため、固定棒を花梗の一辺に配置し、花梗を固定棒に沿って上方へと成長させる。
こうして、花梗は成長を定形され、株が開花すると、美しい花序を形成する。
【０００３】
上記の固定棒を、業界では塑型棒とも呼ぶ。
かつては、可撓性金属線材により製造していたが、錆びることで花梗を傷つけることがあり、花卉の成長速度に影響を与えることもあった。
そのため、改良が加えられ、プラスチック材質で金属線材を覆い塑形棒に成形することで、錆びを防止しながら、湾曲変化をつけることもできるようになった。
【０００４】
しかし、実際の作業においては、以下のような欠点がある。
1.花序に対応するため、塑形棒頂端を適当に湾曲定形させ、適当な弧度を形成する必要がある。これでは、絶えず繰り返し修正する作業が必要で、膨大な作業時間がかかるばかりか、塑形棒を繰り返し湾曲することで、外層のプラスチックが裂けてしまい、金属線材が錆びるという欠点が再燃してしまう。
2.塑形棒の包装或いは輸送では、多数をまとめてしばり、一つの単位とするが、かなりの重量があるため、運搬に力が必要で、しかも輸送コストが高い。
3.特殊な花梗或いは花序で、各塑形棒を相互に連結する時には、一般にはプラスチックロープにより縛り、２個ずつの塑形棒を相互連結させるが、これには相当の作業時間がかかる。
【考案の概要】
【考案が解決しようとする課題】
【０００５】
本考案は軽量で、運搬を省力化でき、しかも輸送コストを引き下げることができる花卉植物用塑形棒及びそのキットに関する。
【０００６】
本考案は簡単かつ迅速に塑形棒を定形でき、作業時間を節減できる花卉植物用塑形棒及びそのキットに関する。
【０００７】
本考案は相互連結が簡便かつ迅速で、作業時間を節減できる花卉植物用塑形棒及びそのキットに関する。
【課題を解決するための手段】
【０００８】
本考案による花卉植物用塑形棒及びそのキットにおいて、該塑形棒は、環境保護効果を備えるプラスチック材質により一体成形され、適当な強度と可撓性を備え、植木鉢上に挿入して定位され、花梗の片側に配置され、花梗を支えて固定することができる。
該塑形棒頂部は、コネクターに連接し、該コネクターは、湾曲状を呈し、少なくとも一端末端部分には、中空長孔を有し、塑形棒頂部を挿入して結合し、花梗及び花序を支えることができる。
該塑形棒は、連結スリーブにより相互に連結され、該連結スリーブ一端は、中空長孔を有し、反対端には、嵌着槽を有し、これにより２個の塑形棒を相互に連結し、花梗及びより長い花序を支えることができる。
【考案の効果】
【０００９】
本考案による花卉植物用塑形棒及びそのキットは軽量で、運搬を省力化でき、しかも輸送コストを引き下げることができ、さらに簡単かつ迅速に塑形棒を定形でき、また相互連結が簡便かつ迅速で、作業時間を節減できる。
【図面の簡単な説明】
【００１０】
【図１】本考案の使用状態模式図（一）である。
【図２】本考案による塑形棒とコネクター結合時の模式図である。
【図３】図２中Ａ部分の拡大断面模式図である。
【図４】本考案の使用状態模式図（二）である。
【図５】本考案の使用状態模式図（三）である。
【図６】本考案による塑形棒と連結スリーブ結合時の模式図である。
【図７】本考案による塑形棒と連結スリーブ結合時の断面図である。
【図８】本考案による塑形棒と別種のコネクター結合時の模式図である。
【図９】本考案の使用状態模式図（四）である。
【図１０】本考案による別種の塑形棒の模式図である。
【考案を実施するための形態】
【００１１】
図１に示す通り、本考案による花卉植物用塑形棒及びそのキットは、塑形棒１、及び塑形棒１と対応させて使用するコネクター２、連結スリーブ３を有する。
【００１２】
塑形棒１は、環境保護効果を備えるプラスチック材質により一体成形され、プラスチック材質は、ナイロン（Ｎｙｌｏｎ）或いはとナイロンと特性が相似した他のプラスチックを主要原料とし、適量成分のグラスファイバー（ＧＦ）を添加し一体成形する。
ナイロンと特性が相似した他のプラスチックは、ＰＢＴ、ＰＥＴ、ＰＯＭ等である。
グラスファイバー含量はおよそ６０〜９０％で、成形後の塑形棒１は、適当な強度と可撓性を備える。
【００１３】
使用時は、塑形棒１底端は固定端で、植木鉢４（或いは盆栽、花台等）の中に挿入して定位し、しかも花卉植物花梗４１の片側に配置する。
二者の間は、固定クリップ４２或いはロープ等他の固定物により結合して固定され、花梗４１を支えて固定することができる（図１参照）。
【００１４】
図２、図３に示す通り、塑形棒１頂部は、コネクター２に連接する。
コネクター２は、湾曲状を呈し、環境保護効果を備えるプラスチック材質により一体成形される。
その材質と成分は、おおよそ上述の塑形棒１と相同であるが、グラスファイバー含量はおよそ４０〜６０％である。
これにより、コネクター２は、適当な強度と可撓性を備える。
コネクター２の少なくとも一端の末端部分は、中空を呈し、長孔２１を有する。
中空長孔２１は、外が大きく内が小さい階級状を呈する。
本実施形態において、両端の末端部分は、中空長孔２１をそれぞれ有し、これに２個の塑形棒１、１ａ頂部を通して嵌める。
これにより、コネクター２と塑形棒１、１ａを結合して定位し、こうして塑形棒１、１ａ頂部は定形され、適当な弧度を備える。
さらに、第二塑形棒１ａ（即ち、コネクター２反対端の塑形棒）により、コネクター２の長度と弧度を延長し、花梗４１及びより長い花序４３を同時に支えることができ、花序４３の美しさと質感を高めることができる（図４参照）。
【００１５】
上述の実施形態において、２個の塑形棒１、１ａの内、第二塑形棒１ａはオーバーハング状態を呈するため、第三塑形棒１ｂにより連結して定位する必要がある。
図５〜図７に示す通り、第三塑形棒１ｂ一端は、植木鉢４上に斜めに挿入して設置され、反対端は、連結スリーブ３により連結される。
連結スリーブ３は、ＴＰＲ、ＰＶＣ等の環境保護効果を備えるプラスチック（ゴム）材質により製造され、一端には中空長孔３１を有し、これにより第三塑形棒１ｂの接続端（頂端）を挿入して結合する。
反対端には、嵌着槽３２を有し、これにより、第二塑形棒１ａを挿入して嵌着定位する。
これにより、２個の塑形棒１、１ａの相互連結はより堅固となり、塑形棒１とコネクター２と連結スリーブ３の組合せにより、花梗４１及びより長い花序４３を支えて固定することができ、花序４３の美しさと質感を高めることができる。
嵌着槽３２は、円錐状の最大開口、中間の最小頸部及び末端の次に大きい円孔により組成される。
【００１６】
コネクター２０は、必要（例えば、花序形状或いは他の要素）に応じて短く切断し、別種の湾曲状とすることができる。
この場合には、一端末後段にのみ中空長孔２０１を有し、単一の塑形棒１頂部を通して嵌める。
これにより、コネクター２０と塑形棒１結合して定位され、塑形棒１頂部は適当な弧度を備え、花序４３を支えて、花序４３の美しさと質感を高めることができる。
コネクター２０の別種の実施形態は、図８、図９に示す。
【００１７】
図１０に示す通り、本考案による塑形棒の別種の実施形態では、塑形棒１ｃの固定端（底端）は、補助スタンド１１を有する。
補助スタンド１１は、塑形棒１ｃと一体成形し、これにより塑形棒１ｃが植木鉢に挿入して定位されると、さらに堅固となる。
【００１８】
以上の説明により明らかなように、本考案は少なくとも以下の長所と効果を有し、それは従来の構造に比べ大きな進歩を有する。
1.塑形棒１は、プラスチック材質により製造するため、サビを防止できるばかりか軽量で、運搬を省力化でき、輸送コストを引き下げることができる。
2.塑形棒１とコネクター２は共に、プラスチック材質により製造し、しかも適当な強度と可撓性を備え、二者が緊密に挿入して結合することで、塑形棒１頂部は定形され適当な弧度を備え、花梗４１及び花序４３を支えて固定でき、簡易かつ迅速に塑形棒１を定形でき、作業時間を節減できる。
3.コネクター１は、湾曲状を呈し、（例えば花序形状或いは他の）必要に応じてその長さを任意に切断でき、単一の塑形棒１に対応して使用され、花梗４１及び花序４３を支えることができる。
4.コネクター２は湾曲状を呈し、両端末端部分にはそれぞれ中空長孔２１を有するため、２個の塑形棒１に対応して結合して定位され、こうして塑形棒１頂部は適当な弧度を備え、花梗４１及びより長い花序４３を支えることができる。
5.連結スリーブ３により２個の塑形棒の間の相互連結は容易となり、しかも堅固で、簡単、便利かつ迅速で、作業時間を節減できる。
6.塑形棒固定端は補助スタンド１１を有し、挿入と定位をより堅固にできる。
【符号の説明】
【００１９】
１、１ａ、１ｂ、１ｃ  塑形棒
１１  補助スタンド
２、２０  コネクター
２１、２０１、３１  中空長孔
３  連結スリーブ
４  植木鉢
４１  花梗
４２  固定クリップ
４３  花序
【図１】
0003211587.tif 000003
【図２】
0003211587.tif 000004
【図３】
0003211587.tif 000005
【図４】
0003211587.tif 000006
【図５】
0003211587.tif 000007
【図６】
0003211587.tif 000008
【図７】
0003211587.tif 000009
【図８】
0003211587.tif 000010
【図９】
0003211587.tif 000011
【図１０】
0003211587.tif 000012
【手続補正書】
【提出日】平成29年4月14日(2017.4.14)
【手続補正１】
【補正対象書類名】明細書
【補正対象項目名】全文
【補正方法】変更
【補正の内容】
【考案の詳細な説明】
【技術分野】
【０００１】
本考案は花卉植物用塑形装置に関し、特に簡単かつ迅速に塑形棒を定形でき、適当な弧度を備え、しかも軽量で相互連結が容易で、これにより作業時間と輸送コストを節減できる花卉植物用塑形装置に関する。
【背景技術】
【０００２】
一般に花卉植物においては、花梗の成長方向は変化するため、固定棒を花梗の一辺に配置し、花梗を固定棒に沿って上方へと成長させる。
こうして、花梗は成長を定形され、株が開花すると、美しい花序を形成する。
【０００３】
上記の固定棒を、業界では塑型棒とも呼ぶ。
かつては、可撓性金属線材により製造していたが、錆びることで花梗を傷つけることがあり、花卉の成長速度に影響を与えることもあった。
そのため、改良が加えられ、プラスチック材質で金属線材を覆い塑形棒に成形することで、錆びを防止しながら、湾曲変化をつけることもできるようになった。
【０００４】
しかし、実際の作業においては、以下のような欠点がある。
1.花序に対応するため、塑形棒頂端を適当に湾曲定形させ、適当な弧度を形成する必要がある。これでは、絶えず繰り返し修正する作業が必要で、膨大な作業時間がかかるばかりか、塑形棒を繰り返し湾曲することで、外層のプラスチックが裂けてしまい、金属線材が錆びるという欠点が再燃してしまう。
2.塑形棒の包装或いは輸送では、多数をまとめてしばり、一つの単位とするが、かなりの重量があるため、運搬に力が必要で、しかも輸送コストが高い。
3.特殊な花梗或いは花序で、各塑形棒を相互に連結する時には、一般にはプラスチックロープにより縛り、２個ずつの塑形棒を相互連結させるが、これには相当の作業時間がかかる。
【考案の概要】
【考案が解決しようとする課題】
【０００５】
本考案は軽量で、運搬を省力化でき、しかも輸送コストを引き下げることができる花卉植物用塑形装置に関する。
【０００６】
本考案は簡単かつ迅速に塑形棒を定形でき、作業時間を節減できる花卉植物用塑形装置に関する。
【０００７】
本考案は相互連結が簡便かつ迅速で、作業時間を節減できる花卉植物用塑形装置に関する。
【課題を解決するための手段】
【０００８】
本考案による花卉植物用塑形装置において、該塑形棒は、環境保護効果を備えるプラスチック材質により形成され、適当な強度と可撓性を備え、植木鉢上に挿入して定位され、花梗の片側に配置され、花梗を支えて固定することができる。
該塑形棒頂部は、コネクターに連接し、該コネクターは、湾曲状を呈し、少なくとも一端末端部分には、中空長孔を有し、塑形棒頂部を挿入して結合し、花梗及び花序を支えることができる。
該塑形棒は、連結スリーブにより相互に連結され、該連結スリーブ一端は、中空長孔を有し、反対端には、嵌着槽を有し、これにより２個の塑形棒を相互に連結し、花梗及びより長い花序を支えることができる。
【考案の効果】
【０００９】
本考案による花卉植物用塑形装置は軽量で、運搬を省力化でき、しかも輸送コストを引き下げることができ、さらに簡単かつ迅速に塑形棒を定形でき、また相互連結が簡便かつ迅速で、作業時間を節減できる。
【図面の簡単な説明】
【００１０】
【図１】本考案の使用状態模式図（一）である。
【図２】本考案による塑形棒とコネクター結合時の模式図である。
【図３】図２中Ａ部分の拡大断面模式図である。
【図４】本考案の使用状態模式図（二）である。
【図５】本考案の使用状態模式図（三）である。
【図６】本考案による塑形棒と連結スリーブ結合時の模式図である。
【図７】本考案による塑形棒と連結スリーブ結合時の断面図である。
【図８】本考案による塑形棒と別種のコネクター結合時の模式図である。
【図９】本考案の使用状態模式図（四）である。
【図１０】本考案による別種の塑形棒の模式図である。
【考案を実施するための形態】
【００１１】
図１に示す通り、本考案による花卉植物用塑形装置は、塑形棒１、及び塑形棒１と対応させて使用するコネクター２、連結スリーブ３を有する。
【００１２】
塑形棒１は、環境保護効果を備えるプラスチック材質により形成され、プラスチック材質は、ナイロン（Ｎｙｌｏｎ）或いはとナイロンと特性が相似した他のプラスチックを主要原料とし、適量成分のグラスファイバー（ＧＦ）を添加し形成する。
ナイロンと特性が相似した他のプラスチックは、ＰＢＴ、ＰＥＴ、ＰＯＭ等である。
グラスファイバー含量はおよそ６０〜９０％で、成形後の塑形棒１は、適当な強度と可撓性を備える。
【００１３】
使用時は、塑形棒１底端は固定端で、植木鉢４（或いは盆栽、花台等）の中に挿入して定位し、しかも花卉植物花梗４１の片側に配置する。
二者の間は、固定クリップ４２或いはロープ等他の固定物により結合して固定され、花梗４１を支えて固定することができる（図１参照）。
【００１４】
図２、図３に示す通り、塑形棒１頂部は、コネクター２に連接する。
コネクター２は、湾曲状を呈し、環境保護効果を備えるプラスチック材質により形成される。
その材質と成分は、おおよそ上述の塑形棒１と相同であるが、グラスファイバー含量はおよそ４０〜６０％である。
これにより、コネクター２は、適当な強度と可撓性を備える。
コネクター２の少なくとも一端の末端部分は、中空を呈し、長孔２１を有する。
中空長孔２１は、外が大きく内が小さい階級状を呈する。
本実施形態において、両端の末端部分は、中空長孔２１をそれぞれ有し、これに２個の塑形棒１、１ａ頂部を通して嵌める。
これにより、コネクター２と塑形棒１、１ａを結合して定位し、こうして塑形棒１、１ａ頂部は定形され、適当な弧度を備える。
さらに、第二塑形棒１ａ（即ち、コネクター２反対端の塑形棒）により、コネクター２の長度と弧度を延長し、花梗４１及びより長い花序４３を同時に支えることができ、花序４３の美しさと質感を高めることができる（図４参照）。
【００１５】
上述の実施形態において、２個の塑形棒１、１ａの内、第二塑形棒１ａはオーバーハング状態を呈するため、第三塑形棒１ｂにより連結して定位する必要がある。
図５〜図７に示す通り、第三塑形棒１ｂ一端は、植木鉢４上に斜めに挿入して設置され、反対端は、連結スリーブ３により連結される。
連結スリーブ３は、ＴＰＲ、ＰＶＣ等の環境保護効果を備えるプラスチック（ゴム）材質により製造され、一端には中空長孔３１を有し、これにより第三塑形棒１ｂの接続端（頂端）を挿入して結合する。
反対端には、嵌着槽３２を有し、これにより、第二塑形棒１ａを挿入して嵌着定位する。
これにより、２個の塑形棒１、１ａの相互連結はより堅固となり、塑形棒１とコネクター２と連結スリーブ３の組合せにより、花梗４１及びより長い花序４３を支えて固定することができ、花序４３の美しさと質感を高めることができる。
嵌着槽３２は、円錐状の最大開口、中間の最小頸部及び末端の次に大きい円孔により組成される。
【００１６】
コネクター２０は、必要（例えば、花序形状或いは他の要素）に応じて短く切断し、別種の湾曲状とすることができる。
この場合には、一端末後段にのみ中空長孔２０１を有し、単一の塑形棒１頂部を通して嵌める。
これにより、コネクター２０と塑形棒１結合して定位され、塑形棒１頂部は適当な弧度を備え、花序４３を支えて、花序４３の美しさと質感を高めることができる。
コネクター２０の別種の実施形態は、図８、図９に示す。
【００１７】
図１０に示す通り、本考案による塑形棒の別種の実施形態では、塑形棒１ｃの固定端（底端）は、補助スタンド１１を有する。
補助スタンド１１は、塑形棒１ｃと一体成形し、これにより塑形棒１ｃが植木鉢に挿入して定位されると、さらに堅固となる。
【００１８】
以上の説明により明らかなように、本考案は少なくとも以下の長所と効果を有し、それは従来の構造に比べ大きな進歩を有する。
1.塑形棒１は、プラスチック材質により製造するため、サビを防止できるばかりか軽量で、運搬を省力化でき、輸送コストを引き下げることができる。
2.塑形棒１とコネクター２は共に、プラスチック材質により製造し、しかも適当な強度と可撓性を備え、二者が緊密に挿入して結合することで、塑形棒１頂部は定形され適当な弧度を備え、花梗４１及び花序４３を支えて固定でき、簡易かつ迅速に塑形棒１を定形でき、作業時間を節減できる。
3.コネクター１は、湾曲状を呈し、（例えば花序形状或いは他の）必要に応じてその長さを任意に切断でき、単一の塑形棒１に対応して使用され、花梗４１及び花序４３を支えることができる。
4.コネクター２は湾曲状を呈し、両端末端部分にはそれぞれ中空長孔２１を有するため、２個の塑形棒１に対応して結合して定位され、こうして塑形棒１頂部は適当な弧度を備え、花梗４１及びより長い花序４３を支えることができる。
5.連結スリーブ３により２個の塑形棒の間の相互連結は容易となり、しかも堅固で、簡単、便利かつ迅速で、作業時間を節減できる。
6.塑形棒固定端は補助スタンド１１を有し、挿入と定位をより堅固にできる。
【符号の説明】
【００１９】
１、１ａ、１ｂ、１ｃ  塑形棒
１１  補助スタンド
２、２０  コネクター
２１、２０１、３１  中空長孔
３  連結スリーブ
４  植木鉢
４１  花梗
４２  固定クリップ
４３  花序
【手続補正２】
【補正対象書類名】実用新案登録請求の範囲
【補正対象項目名】全文
【補正方法】変更
【補正の内容】
【実用新案登録請求の範囲】
【請求項１】
花卉植物用塑形装置であって、前記塑形棒は、プラスチック材質により形成され、適当な強度と可撓性を備え、植木鉢上に挿入して定位され、花卉植物花梗の片側に配置し、花梗を支えて固定することを特徴とする花卉植物用塑形装置。
【請求項２】
前記塑形棒の底端は、補助スタンドを有することを特徴とする請求項１に記載の花卉植物用塑形装置。
【請求項３】
前記塑形棒の頂部は、湾曲状を呈するコネクターを連接することを特徴とする請求項１に記載の花卉植物用塑形装置。
【請求項４】
前記コネクターの両端末端部分は、中空長孔をそれぞれ有し、第一塑形棒、第二塑形棒を連接することを特徴とする請求項３に記載の花卉植物用塑形装置。
【請求項５】
前記２個の塑形棒のうち第二塑形棒は、連結スリーブにより、第三塑形棒と連接することを特徴とする請求項４に記載の花卉植物用塑形装置。
【請求項６】
前記連結スリーブは、一端に中空長孔を有し、反対端には、嵌着槽を有することを特徴とする請求項５に記載の花卉植物用塑形装置。
【請求項７】
前記コネクターは、少なくとも一端の末端部分に中空長孔を有することを特徴とする請求項３に記載の花卉植物用塑形装置。
【請求項８】
前記コネクターは、必要に応じて短く切断できることを特徴とする請求項３に記載の花卉植物用塑形装置。
【手続補正書】
【提出日】平成29年5月23日(2017.5.23)
【手続補正１】
【補正対象書類名】明細書
【補正対象項目名】全文
【補正方法】変更
【補正の内容】
【考案の詳細な説明】
【技術分野】
【０００１】
本考案は花卉植物用塑形棒に関し、特に簡単かつ迅速に塑形棒を定形でき、適当な弧度を備え、しかも軽量で相互連結が容易で、これにより作業時間と輸送コストを節減できる花卉植物用塑形棒に関する。
【背景技術】
【０００２】
一般に花卉植物においては、花梗の成長方向は変化するため、固定棒を花梗の一辺に配置し、花梗を固定棒に沿って上方へと成長させる。
こうして、花梗は成長を定形され、株が開花すると、美しい花序を形成する。
【０００３】
上記の固定棒を、業界では塑型棒とも呼ぶ。
かつては、可撓性金属線材により製造していたが、錆びることで花梗を傷つけることがあり、花卉の成長速度に影響を与えることもあった。
そのため、改良が加えられ、プラスチック材質で金属線材を覆い塑形棒に成形することで、錆びを防止しながら、湾曲変化をつけることもできるようになった。
【０００４】
しかし、実際の作業においては、以下のような欠点がある。
1.花序に対応するため、塑形棒頂端を適当に湾曲定形させ、適当な弧度を形成する必要がある。これでは、絶えず繰り返し修正する作業が必要で、膨大な作業時間がかかるばかりか、塑形棒を繰り返し湾曲することで、外層のプラスチックが裂けてしまい、金属線材が錆びるという欠点が再燃してしまう。
2.塑形棒の包装或いは輸送では、多数をまとめてしばり、一つの単位とするが、かなりの重量があるため、運搬に力が必要で、しかも輸送コストが高い。
3.特殊な花梗或いは花序で、各塑形棒を相互に連結する時には、一般にはプラスチックロープにより縛り、２個ずつの塑形棒を相互連結させるが、これには相当の作業時間がかかる。
【考案の概要】
【考案が解決しようとする課題】
【０００５】
本考案は軽量で、運搬を省力化でき、しかも輸送コストを引き下げることができる花卉植物用塑形棒に関する。
【０００６】
本考案は簡単かつ迅速に塑形棒を定形でき、作業時間を節減できる花卉植物用塑形棒に関する。
【０００７】
本考案は相互連結が簡便かつ迅速で、作業時間を節減できる花卉植物用塑形棒に関する。
【課題を解決するための手段】
【０００８】
本考案による花卉植物用塑形棒において、該塑形棒は、環境保護効果を備えるプラスチック材質により形成され、適当な強度と可撓性を備え、植木鉢上に挿入して定位され、花梗の片側に配置され、花梗を支えて固定することができる。
該塑形棒頂部は、コネクターに連接し、該コネクターは、湾曲状を呈し、少なくとも一端末端部分には、中空長孔を有し、塑形棒頂部を挿入して結合し、花梗及び花序を支えることができる。
該塑形棒は、連結スリーブにより相互に連結され、該連結スリーブ一端は、中空長孔を有し、反対端には、嵌着槽を有し、これにより２個の塑形棒を相互に連結し、花梗及びより長い花序を支えることができる。
【考案の効果】
【０００９】
本考案による花卉植物用塑形棒は軽量で、運搬を省力化でき、しかも輸送コストを引き下げることができ、さらに簡単かつ迅速に塑形棒を定形でき、また相互連結が簡便かつ迅速で、作業時間を節減できる。
【図面の簡単な説明】
【００１０】
【図１】本考案の使用状態模式図（一）である。
【図２】本考案による塑形棒とコネクター結合時の模式図である。
【図３】図２中Ａ部分の拡大断面模式図である。
【図４】本考案の使用状態模式図（二）である。
【図５】本考案の使用状態模式図（三）である。
【図６】本考案による塑形棒と連結スリーブ結合時の模式図である。
【図７】本考案による塑形棒と連結スリーブ結合時の断面図である。
【図８】本考案による塑形棒と別種のコネクター結合時の模式図である。
【図９】本考案の使用状態模式図（四）である。
【図１０】本考案による別種の塑形棒の模式図である。
【考案を実施するための形態】
【００１１】
図１に示す通り、本考案による花卉植物用塑形棒は、塑形棒１、及び塑形棒１と対応させて使用するコネクター２、連結スリーブ３を有する。
【００１２】
塑形棒１は、環境保護効果を備えるプラスチック材質により形成され、プラスチック材質は、ナイロン（Ｎｙｌｏｎ）或いはとナイロンと特性が相似した他のプラスチックを主要原料とし、適量成分のグラスファイバー（ＧＦ）を添加し形成する。
ナイロンと特性が相似した他のプラスチックは、ＰＢＴ、ＰＥＴ、ＰＯＭ等である。
グラスファイバー含量はおよそ６０〜９０％で、成形後の塑形棒１は、適当な強度と可撓性を備える。
【００１３】
使用時は、塑形棒１底端は固定端で、植木鉢４（或いは盆栽、花台等）の中に挿入して定位し、しかも花卉植物花梗４１の片側に配置する。
二者の間は、固定クリップ４２或いはロープ等他の固定物により結合して固定され、花梗４１を支えて固定することができる（図１参照）。
【００１４】
図２、図３に示す通り、塑形棒１頂部は、コネクター２に連接する。
コネクター２は、湾曲状を呈し、環境保護効果を備えるプラスチック材質により形成される。
その材質と成分は、おおよそ上述の塑形棒１と相同であるが、グラスファイバー含量はおよそ４０〜６０％である。
これにより、コネクター２は、適当な強度と可撓性を備える。
コネクター２の少なくとも一端の末端部分は、中空を呈し、長孔２１を有する。
中空長孔２１は、外が大きく内が小さい階級状を呈する。
本実施形態において、両端の末端部分は、中空長孔２１をそれぞれ有し、これに２個の塑形棒１、１ａ頂部を通して嵌める。
これにより、コネクター２と塑形棒１、１ａを結合して定位し、こうして塑形棒１、１ａ頂部は定形され、適当な弧度を備える。
さらに、第二塑形棒１ａ（即ち、コネクター２反対端の塑形棒）により、コネクター２の長度と弧度を延長し、花梗４１及びより長い花序４３を同時に支えることができ、花序４３の美しさと質感を高めることができる（図４参照）。
【００１５】
上述の実施形態において、２個の塑形棒１、１ａの内、第二塑形棒１ａはオーバーハング状態を呈するため、第三塑形棒１ｂにより連結して定位する必要がある。
図５〜図７に示す通り、第三塑形棒１ｂ一端は、植木鉢４上に斜めに挿入して設置され、反対端は、連結スリーブ３により連結される。
連結スリーブ３は、ＴＰＲ、ＰＶＣ等の環境保護効果を備えるプラスチック（ゴム）材質により製造され、一端には中空長孔３１を有し、これにより第三塑形棒１ｂの接続端（頂端）を挿入して結合する。
反対端には、嵌着槽３２を有し、これにより、第二塑形棒１ａを挿入して嵌着定位する。
これにより、２個の塑形棒１、１ａの相互連結はより堅固となり、塑形棒１とコネクター２と連結スリーブ３の組合せにより、花梗４１及びより長い花序４３を支えて固定することができ、花序４３の美しさと質感を高めることができる。
嵌着槽３２は、円錐状の最大開口、中間の最小頸部及び末端の次に大きい円孔により組成される。
【００１６】
コネクター２０は、必要（例えば、花序形状或いは他の要素）に応じて短く切断し、別種の湾曲状とすることができる。
この場合には、一端末後段にのみ中空長孔２０１を有し、単一の塑形棒１頂部を通して嵌める。
これにより、コネクター２０と塑形棒１結合して定位され、塑形棒１頂部は適当な弧度を備え、花序４３を支えて、花序４３の美しさと質感を高めることができる。
コネクター２０の別種の実施形態は、図８、図９に示す。
【００１７】
図１０に示す通り、本考案による塑形棒の別種の実施形態では、塑形棒１ｃの固定端（底端）は、補助スタンド１１を有する。
補助スタンド１１は、塑形棒１ｃと一体成形し、これにより塑形棒１ｃが植木鉢に挿入して定位されると、さらに堅固となる。
【００１８】
以上の説明により明らかなように、本考案は少なくとも以下の長所と効果を有し、それは従来の構造に比べ大きな進歩を有する。
1.塑形棒１は、プラスチック材質により製造するため、サビを防止できるばかりか軽量で、運搬を省力化でき、輸送コストを引き下げることができる。
2.塑形棒１とコネクター２は共に、プラスチック材質により製造し、しかも適当な強度と可撓性を備え、二者が緊密に挿入して結合することで、塑形棒１頂部は定形され適当な弧度を備え、花梗４１及び花序４３を支えて固定でき、簡易かつ迅速に塑形棒１を定形でき、作業時間を節減できる。
3.コネクター１は、湾曲状を呈し、（例えば花序形状或いは他の）必要に応じてその長さを任意に切断でき、単一の塑形棒１に対応して使用され、花梗４１及び花序４３を支えることができる。
4.コネクター２は湾曲状を呈し、両端末端部分にはそれぞれ中空長孔２１を有するため、２個の塑形棒１に対応して結合して定位され、こうして塑形棒１頂部は適当な弧度を備え、花梗４１及びより長い花序４３を支えることができる。
5.連結スリーブ３により２個の塑形棒の間の相互連結は容易となり、しかも堅固で、簡単、便利かつ迅速で、作業時間を節減できる。
6.塑形棒固定端は補助スタンド１１を有し、挿入と定位をより堅固にできる。
【符号の説明】
【００１９】
１、１ａ、１ｂ、１ｃ  塑形棒
１１  補助スタンド
２、２０  コネクター
２１、２０１、３１  中空長孔
３  連結スリーブ
４  植木鉢
４１  花梗
４２  固定クリップ
４３  花序
【手続補正２】
【補正対象書類名】実用新案登録請求の範囲
【補正対象項目名】全文
【補正方法】変更
【補正の内容】
【実用新案登録請求の範囲】
【請求項１】
花卉植物用塑形棒であって、前記塑形棒は、プラスチック材質により形成され、強度と可撓性を備え、植木鉢上に挿入して定位され、花卉植物花梗の片側に配置し、花梗を支えて固定することを特徴とする花卉植物用塑形棒。
【請求項２】
前記塑形棒の底端は、補助スタンドを有することを特徴とする請求項１に記載の花卉植物用塑形棒。
【請求項３】
前記塑形棒の頂部は、湾曲状を呈するコネクターを連接することを特徴とする請求項１に記載の花卉植物用塑形棒。
【請求項４】
前記コネクターの両端末端部分は、中空長孔をそれぞれ有し、第一塑形棒、第二塑形棒を連接することを特徴とする請求項３に記載の花卉植物用塑形棒。
【請求項５】
前記２個の塑形棒のうち第二塑形棒は、連結スリーブにより、第三塑形棒と連接することを特徴とする請求項４に記載の花卉植物用塑形棒。
【請求項６】
前記連結スリーブは、一端に中空長孔を有し、反対端には、嵌着槽を有することを特徴とする請求項５に記載の花卉植物用塑形棒。
【請求項７】
前記コネクターは、少なくとも一端の末端部分に中空長孔を有することを特徴とする請求項３に記載の花卉植物用塑形棒。
【請求項８】
前記コネクターは、必要に応じて短く切断できることを特徴とする請求項３に記載の花卉植物用塑形棒。